【手続補正書】
【提出日】令和2年8月28日(2020.8.28)
【手続補正１】
【補正対象書類名】特許請求の範囲
【補正対象項目名】全文
【補正方法】変更
【補正の内容】
【特許請求の範囲】
【請求項１】
グローバル・コンピュータ・ネットワークに接続され、少なくとも１つの請負業者サービスとともに少なくとも１つの製品を販売する方法を実行するようにプログラムされた電子商取引コンピュータシステムであって、前記電子商取引コンピュータシステムによって実行される方法は、
ａ）前記電子商取引コンピュータシステムにおいて、購入者コンピュータシステムから少なくとも１つの請負業者サービスとともに少なくとも１つの製品の選択を電子的に受信することと、
ｂ）前記少なくとも１つの製品の製品コードを電子ショッピングカートに自動的に入れることと、
ｃ）前記少なくとも１つの請負業者サービスのサービスコードを前記電子ショッピングカートに自動的に入れることであって、前記サービスコードは、前記電子商取引コンピュータシステムにおいて、マッピング・コンピュータ・システムから電子的に受信され、前記サービスコードは、前記少なくとも１つの製品を前記少なくとも１つの請負業者サービスにマッピングするようにプログラムされたマッピング・コンピューティング・システムによって自動的に導出される、ことと、
ｄ）前記購入者コンピュータシステムと電子通信してショッピングカート取引を電子的に完了することと、を含む電子商取引コンピュータシステム。
【請求項２】
グローバル・コンピュータ・ネットワークに接続された電子商取引コンピュータシステムおよび少なくとも１つの請負業者サービスとともに少なくとも１つの製品を販売する方法を実行するための手段であって、前記方法は、
ａ）前記電子商取引コンピュータシステムにおいて、購入者コンピュータシステムから少なくとも１つの請負業者サービスとともに少なくとも１つの製品の選択を電子的に受信することと、
ｂ）前記少なくとも１つの製品の製品コードを電子ショッピングカートに自動的に入れることと、
ｃ）前記少なくとも１つの請負業者サービスのサービスコードを前記電子ショッピングカートに自動的に入れることであって、前記サービスコードは、前記電子商取引コンピュータシステムにおいて、マッピング・コンピュータ・システムから電子的に受信され、前記サービスコードは、前記少なくとも１つの製品を前記少なくとも１つの請負業者サービスにマッピングするようにプログラムされたマッピング・コンピューティング・システムによって自動的に導出される、ことと、
ｄ）前記購入者コンピュータシステムと電子通信してショッピングカート取引を電子的に完了することと、を含む電子商取引コンピュータシステムおよび手段。
【請求項３】
グローバル・コンピュータ・ネットワークに接続され、少なくとも１つの請負業者サービスとともに少なくとも１つの製品を販売する方法を実行するようにプログラムされた電子商取引コンピュータシステムであって、前記電子商取引コンピュータシステムによって実行される方法は、
ａ）前記電子商取引コンピュータシステムにおいて、購入者コンピュータシステムから少なくとも１つの請負業者サービスとともに少なくとも１つの製品の選択を電子的に受信することと、
ｂ）前記少なくとも１つの製品の製品コードを電子ショッピングカートに自動的に入れることと、
ｃ）前記少なくとも１つの請負業者サービスのサービスコードを前記電子ショッピングカートに自動的に入れることであって、前記サービスコードは、前記電子商取引コンピュータシステムにおいて、マッピング・コンピュータ・システムから電子的に受信され、前記サービスコードは、前記少なくとも１つの製品を前記少なくとも１つの請負業者サービスにマッピングするようにプログラムされたマッピング・コンピューティング・システムによって自動的に導出される、ことと、
ｄ）前記少なくとも１つの製品および前記少なくとも１つの請負業者サービスの購入を完了させるための要求と共に前記電子ショッピングカートを前記購入者コンピュータシステムに電子的に提示することと、を含む電子商取引コンピュータシステム。
【請求項４】
前記製品コードは、
ａ）販売用製品、および
ｂ）販売用製品セット
のうちの少なくとも１つを表す、請求項１から３のいずれか一項に記載のシステム。
【請求項５】
前記少なくとも１つの請負業者サービスは、
ａ）少なくとも１回の測定、
ｂ）設置、
ｃ）組立て、
ｄ）配達、
ｅ）検査、
ｆ）保証認定、
ｇ）保証期間中の修理、および
ｈ）保証期間中の交換
のうちの少なくとも１つを含む、請求項１から３のいずれか一項に記載のシステム。
【請求項６】
前記少なくとも１つのサービスコードは、少なくとも１つのサービス価格に関連し、前記少なくとも１つのサービス価格は、少なくとも部分的には位置データに基づいており、前記位置データは、前記購入者コンピュータシステムから電子的に通信される、請求項１から３のいずれか一項に記載のシステム。
【請求項７】
前記電子商取引コンピュータシステムによって実行される前記方法は、前記購入者コンピュータシステムに第１のデータを電子的に通信することをさらに含み、前記第１のデータは、前記購入者コンピュータシステムと通信するディスプレイ上に第１のウェブページを提示すように構成され、前記第１のウェブページは、製品データと請負業者サービスデータとを含む、請求項１から３のいずれか一項に記載のシステム。
【請求項８】
前記電子商取引コンピュータシステムによって実行される前記方法は、前記購入者コンピュータシステムに第２のデータを電子的に通信することをさらに含み、前記第２のデータは、前記購入者コンピュータシステムと通信するディスプレイ上に第２のウェブページを提示すように構成され、前記第２のウェブページは、ショッピングカートデータを含み、前記ショッピングカートデータは、前記製品コードと前記サービスコードとを含む、請求項１から３のいずれか一項に記載のシステム。
【請求項９】
前記電子商取引コンピュータシステムによって実行される前記方法は、前記購入者コンピュータシステムに第３のデータを電子的に通信することをさらに含み、前記第３のデータは、前記購入者コンピュータシステムと通信するディスプレイ上のウェブページを介してサービス利用規約を提示するように構成される、請求項１から３のいずれか一項に記載のシステム。
【請求項１０】
前記電子商取引コンピュータシステムによって実行される前記方法は、前記購入者コンピュータシステムにサービス利用規約を電子的に通信することをさらに含む請求項１から３のいずれか一項に記載のシステム。
【請求項１１】
前記電子商取引コンピュータシステムによって実行される前記方法は、
ａ）前記購入者コンピュータシステムにサービス利用規約を電子的に通信することと、
ｂ）前記購入者コンピュータシステムから前記サービス利用規約の受諾を電子的に受信することと、
ｃ）サービス処理コンピュータシステムに前記受諾を電子的に通信することと、をさらに含む請求項１から３のいずれか一項に記載のシステム。
【請求項１２】
前記電子商取引コンピュータシステムによって実行される前記方法は、少なくとも１つの無効化に基づいて前記電子ショッピングカートから前記サービスコードを自動的に削除することをさらに含む請求項１から３のいずれか一項に記載のシステム。
【請求項１３】
前記電子商取引コンピュータシステムによって実行される前記方法は、少なくとも１つのマーチャント・エクスチェンジ・コンピュータ・システムを使用して前記ショッピングカート取引を電子的に完了することをさらに含む請求項１または２に記載のシステム。
【請求項１４】
前記電子商取引コンピュータシステムによって実行される前記方法は、少なくとも１つのマーチャント・エクスチェンジ・コンピュータ・システムを使用して前記購入を電子的に完了することをさらに含む請求項３に記載のシステム。
【請求項１５】
前記電子商取引コンピュータシステムによって実行される方法は、サービス処理コンピュータシステムに電子サービス要求を電子的に通信することをさらに含み、前記電子サービス要求は、前記製品コードと、前記サービスコードと、購入者の連絡先データを含む、請求項１から３のいずれか一項に記載のシステム。
【請求項１６】
電子商取引コンピュータシステムが少なくとも１つの請負業者サービスとともに少なくとも１つの製品を販売する自動化された方法を実行するための命令証拠を含む有形の非一時的データ記憶媒体であって、前記電子商取引コンピュータシステムは、グローバル・コンピュータ・ネットワークに接続され、少なくとも１つのデータ記憶装置にアクセス可能であって、前記命令に従って実行される前記自動化された方法は、
ａ）前記電子商取引コンピュータシステムにおいて、購入者コンピュータシステムから少なくとも１つの請負業者サービスとともに少なくとも１つの製品の選択を電子的に受信することと、
ｂ）前記少なくとも１つの製品の製品コードを電子ショッピングカートに自動的に入れることと、
ｃ）前記少なくとも１つの請負業者サービスのサービスコードを前記電子ショッピングカートに自動的に入れることであって、前記サービスコードは、前記電子商取引コンピュータシステムにおいて、マッピング・コンピュータ・システムから電子的に受信され、前記サービスコードは、前記少なくとも１つの製品を前記少なくとも１つの請負業者サービスにマッピングするようにプログラムされたマッピング・コンピューティング・システムによって自動的に導出される、ことと、
ｄ）前記購入者コンピュータシステムと電子通信して前記ショッピングカート取引を電子的に完了することと、を含む有形の非一時的データ記憶媒体。
【請求項１７】
電子商取引コンピュータシステムが少なくとも１つの請負業者サービスとともに少なくとも１つの製品を販売する自動化された方法を実行するための命令証拠を含む有形の非一時的データ記憶媒体であって、前記電子商取引コンピュータシステムは、グローバル・コンピュータ・ネットワークに接続され、少なくとも１つのデータ記憶装置にアクセス可能であって、前記命令に従って実行される前記自動化された方法は、
ａ）前記電子商取引コンピュータシステムにおいて、購入者コンピュータシステムから少なくとも１つの請負業者サービスとともに少なくとも１つの製品の選択を電子的に受信することと、
ｂ）前記少なくとも１つの製品の製品コードを電子ショッピングカートに自動的に入れることと、
ｃ）前記少なくとも１つの請負業者サービスのサービスコードを前記電子ショッピングカートに自動的に入れることであって、前記サービスコードは、前記電子商取引コンピュータシステムにおいて、マッピング・コンピュータ・システムから電子的に受信され、前記サービスコードは、前記少なくとも１つの製品を前記少なくとも１つの請負業者サービスにマッピングするようにプログラムされたマッピング・コンピューティング・システムによって自動的に導出される、ことと、
ｄ）前記少なくとも１つの製品および前記少なくとも１つの請負業者サービスの購入を完了させるための要求と共に前記電子ショッピングカートを前記購入者コンピュータシステムに電子的に提示することと、を含む有形の非一時的データ記憶媒体。